(57)【要約】【課題】良好な断熱性を有して、且つ施工性を向上した外壁パネルを提供する。【解決手段】本発明は、芯材となる断熱材２と、断熱材２の表面２ａを覆い断熱材２との間に通気層６を有した表面材３とを備え、表面材３が端部４ｃに、断熱材２側に突出して断熱材２の端部２ｃを覆う延出部７を有し、延出部７の延出先端に、表面材３及び断熱材２を外部の構造体３０に固定する取付部８を設けた。これによって、本発明は、良好な断熱性を得易くすることができ、且つ施工時の手間を軽減し易くすることができて、施工性を向上し易くすることができる。【選択図】図１
2013221261.tif 000002
【特許請求の範囲】
【請求項１】
芯材となる断熱材と、前記断熱材の表面を覆い前記断熱材との間に通気層を有した表面材とを備え、
前記表面材が端部に、前記断熱材側に突出して前記断熱材の端部を覆う延出部を有し、
前記延出部の延出先端に、前記表面材及び前記断熱材を外部の構造体に固定する取付部を設けたことを特徴とする外壁パネル。
【請求項２】
前記取付部の表面側を覆う蓋を設けたことを特徴とする請求項１に記載の外壁パネル。
【請求項３】
前記取付部の表面側を覆う断熱性を有した防水部材又は断熱部材を設けたことを特徴とする請求項１又は２に記載の外壁パネル。
【発明の詳細な説明】
【技術分野】
【０００１】
本発明は、表面材と断熱材とを備えた外壁パネルに関するものである。
【背景技術】
【０００２】
従来から、外壁パネルとして、屋外側に通気層を設けたものと、屋内側に通気層を設けたものとがある。そして、屋外側に設けたものは、屋内側に設けたものに比べて、断熱効果を得易い。この屋外側に設けたものでは、特許文献１等のように、下地材に断熱材を取り付けた後、断熱材の表面側に、通気層を有した上位屋根板を取り付けて形成される。
【先行技術文献】
【特許文献】
【０００３】
【特許文献１】特開平７−１５０７０４号公報
【発明の概要】
【発明が解決しようとする課題】
【０００４】
しかしながら、特許文献１等の構成では、施工時に、断熱材と上位屋根板（表面材）の取付作業を夫々行うため、施工の手間を省き難い（省施工にし難い）。また、このように取付作業を夫々行う場合では、断熱材と表面材との間に隙間を生じる恐れがある。そのため、この場合には、施工時に、断熱材を構造体に取り付けた後、表面材を構造体に取り付ける前に、断熱材と表面材との接着作業等を行うことになり、省施工にし難い。
【０００５】
そこで、本発明は、前記従来の問題点に鑑みて発明したものであり、その目的とするところは、良好な断熱性を有して、且つ施工性を向上し易くする（省施工化し易くする）ことにある。
【課題を解決するための手段】
【０００６】
上記課題を解決するために、本発明は、芯材となる断熱材と、前記断熱材の表面を覆い前記断熱材との間に通気層を有した表面材とを備え、前記表面材が端部に、前記断熱材側に突出して前記断熱材の端部を覆う延出部を有し、前記延出部の延出先端に、前記表面材及び断熱材を外部の構造体に固定する取付部を設けたことを特徴とする。
【０００７】
この外壁パネルとして、前記取付部の表面側を覆う蓋を設けたものであることが好ましい。
【０００８】
この外壁パネルとして、前記取付部の表面側を覆う断熱性を有した防水部材又は断熱部材を設けたものであることが好ましい。
【発明の効果】
【０００９】
本発明は、前記構成を備えたことで、断熱材の裏面側（屋内側）に通気層を有した場合に比べて、断熱性を向上し易くすることができて、良好な断熱性を得易くすることができる。そして、本発明は、前記構成を備えたことで、表面材及び断熱材を纏めて取付部で構造体に固定することができる。これによって、本発明は、屋外側に通気層を有した外壁パネルにおいて、施工時に断熱材を構造体に取り付ける等の、施工時の手間を軽減し易くすることができて、施工性を向上し易くすることができるという効果を奏する。
【図面の簡単な説明】
【００１０】
【図１】外壁パネルの幅方向に切断した平面図である。
【図２】表面材の平面図である。
【図３】外壁パネルの構造体に取り付けた状態であり、（ａ）が斜視図であり、（ｂ）が幅方向に切断した平面図である。
【図４】図３（ｂ）の領域Ｂを拡大した平面図である。
【図５】図４に蓋を取り付けた状態の平面図である。
【発明を実施するための形態】
【００１１】
以下、本発明の実施の形態を説明する。
【００１２】
外壁パネル１は、例えば、図３に示すように、建物の屋外側の壁面を形成するパネル部材である。そして、外壁パネル１は、図１に示すように、芯材となる断熱材２と、表面４ａに意匠面を有した表面材３（所謂、意匠表面材）とを備えており、外壁パネル１は表面材３の表面４ａが、前記屋外側の壁面となる。なお、外壁パネル１は、例えば、建物の屋根を形成するものであってもよく、この場合、表面材３の表面４ａに太陽電池パネル等が取り付けられる。
【００１３】
断熱材２は、厚みを有した矩形の板状になっている。そして、断熱材２は、例えば、発泡ポリスチレンボードやウレタンフォーム等の断熱性を有した発泡体で形成してある。なお、断熱材２は、前記発泡体に限らない。
【００１４】
表面材３は、断熱材２に比べて薄く、鋼板等の金属製の板部材３ａで形成してある。そして、表面材３は、図２に示すように、断熱材２の表面２ａ全体を覆う矩形の本体部４を有する。本体部４は、本体部４の裏面側に開口し且つ表面４ａ側に突出した断面Ｕ字状の凸部５を有する。凸部５は角張ったＵ字状になっており、板部材３ａの本体部４を形成する部位の一部を屈曲して形成してある。そして、凸部５は、所定の間隔を空けて本体部４に複数設けてあり、本体部４は凸部５の間の部位が、製造時等の施工前に接着等で予め断熱材２の表面２ａに固定してある。
【００１５】
更に、凸部５はＵ字の内側が通気層６として機能しており、各凸部５の通気する向き（通気方向）は略平行に並ぶ。この通気方向は前記間隔に対して略直交した向きになっており、本体部４は凸部５の通気方向の両端が開口する。なお、凸部５の通気方向に略直行する幅寸法は、前記間隔に比べて大きいことが好ましい。以下、前記凸部５の幅寸法に沿った方向を、幅方向Ｘとし、本体部４の通気方向に平行の方向を、長さ方向Ｙとし、幅方向Ｘ及び長さ方向Ｙの両方向に略直交する方向を、厚さ方向Ｚとする。
【００１６】
また、表面材３は、本体部４の幅方向Ｘの端部４ｃに延出部７を有する。延出部７は厚さ方向Ｚに沿って、端部４ｃから本体部４の裏面側（断熱材２側）に突出して設けてある。そして、延出部７は板部材３ａを屈曲して形成してあり、表面材３と一体になっている。また、延出部７は長さ方向Ｙの寸法が本体部４と略同じ寸法になっている。そして、延出部７は板面が幅方向Ｘを向いており、板面は略平面形状になっている。
【００１７】
更に、延出部７は板面で断熱材２の端面（幅方向Ｘの端部２ｃ）を覆っており、製造時等の施工前に接着等で予め断熱材２の端部２ｃに固定してある。そして、延出部７は延出先端に、表面材３及び断熱材２を外部の構造体３０（詳細は後述する）に取り付ける取付部８を有する。
【００１８】
取付部８は、延出部７から幅方向Ｘに平行で、断熱材２から離れる向きに突出して設けてある。そして、取付部８は板部材３ａを屈曲して形成してあり、本体部４及び延出部７と一体になっている。また、取付部８は長さ方向Ｙの寸法が本体部４と略同じ寸法になっている。そして、取付部８は板面が厚さ方向Ｚを向いており、板面は略平面形状になっている。
【００１９】
更に、取付部８は、図３や図４に示すように、ねじや釘、ボルト等の固定具２０で、外部の構造体３０に留め付けられる。この留め付けによって、外壁パネル１は、表面材３が構造体３０に固定され、さらに本体部４や延出部７を介して断熱材２が構造体３０に固定される。なお、この構造体３０としては、例えば、外壁パネル１で表面が覆われる下地材等の面材３１や、柱や間柱等の躯体３２となっており、本例では、固定具２０が面材３１を貫通して躯体３２に留め付けてある。
【００２０】
また、外壁パネル１は、一方の端部４ｃ側の取付部８の構造体３０側を向く板面（裏面８ｂ）が、断熱材２の裏面２ｂと略面一に並ぶ。そして、外壁パネル１は、残り一方の端部４ｃ側の取付部８の裏面８ｂが、板部材３ａの板厚分程度、断熱材２の裏面２ｂより表面２ａ側に位置する。そのため、構造体３０に複数の外壁パネル１を幅方向Ｘに並べて配置する場合、幅方向Ｘに隣り合う外壁パネル１は、互いの取付部８の板面（表面８ａと裏面８ｂと）を厚さ方向Ｚに重ね合わせた状態で、同じ固定具２０によって構造体３０に留め付けることができる。
【００２１】
更に、この並べて配置する場合において、外壁パネル１は、図５に示すように、蓋１２を取り付けることが好ましく、蓋１２は、取付部８を底部とし幅方向Ｘに向かい合う互いの延出部７とで形成された凹部１０に取り付けられる。言い換えると、外壁パネル１は、取付部８の表面８ａ側に、表面８ａを覆う蓋１２を設けて、厚さ方向Ｚに凹んだ凹部１０の開口を閉塞してもよい。
【００２２】
蓋１２は、厚さ方向Ｚの取付部８側に向けて開口した矩形の箱状になっており、所謂底部の開口した帽子状になっている。そして、蓋１２は長さ方向Ｙの寸法が本体部４と略同じ寸法になっており、長さ方向Ｙの両方の端部１２ａが閉塞してある。更に、蓋１２は箱の天井１３の外面が表面材３の表面（本体部４の表面４ａ）側を向き、この外面は、凹部１０に取り付けた状態で、断熱材２の表面２ａと略面一になる高さに位置する。そのため、外壁パネル１は、蓋１２を凹部１０に取り付けることで、固定具２０の頭部や取付部８が蓋１２に隠蔽される。
【００２３】
また、外壁パネル１は、蓋１２の代わりに、弾性及び断熱性を有した防水部材や、充填後や充填中に発泡する所謂現地発泡性の断熱部材を設けて、これら防水部材や断熱部材で凹部１０を埋める等で、取付部８の表面８ａ側を覆ってもよい。更に、外壁パネル１は、これら防水部材や断熱部材の表面側を蓋１２で隠蔽してもよい。
【００２４】
このように、外壁パネル１は、表面材３（本体部４）と断熱材２の表面２ａとの厚さ方向Ｚの間に通気層６を有したことで、断熱材２の裏面２ｂに通気層６を有した場合に比べて、通気層６による断熱性を向上し易くすることができる。これによって、外壁パネル１は、良好な断熱性を得易くすることができる。そして、外壁パネル１は、取付部８を有した表面材３に断熱材２を固定したことで、断熱材２及び表面材３を取付部８で纏めて構造体３０に固定することができる。これによって、外壁パネル１は、施工時に断熱材２を構造体３０に取り付ける等の、施工時の手間を軽減し易くすることができて、施工性を向上し易くすることができる。更に、外壁パネル１は、取付部８を固定具２０で躯体３２に留め付けたことで、構造体３０に対する留め付け強度を向上し易くすることができる。
【００２５】
また、外壁パネル１は、蓋１２を設けたことで、雨水等の水分や、塵等を取付部８に付着し難くすることができる。これによって、外壁パネル１は、取付部８や固定具２０等の劣化を抑制し易くすることができて、耐久性を向上し易くすることができる。そして、外壁パネル１は、蓋１２を箱状（帽子状）としたことで、蓋１２の内部を外気から区画された空気層として機能させることができる。これによって、外壁パネル１は、蓋１２の無い場合等に比べて、凹部１０（取付部８の表面８ａ側の空間）の断熱性を向上し易くすることができて、良好な断熱性を得易くすることができる。
【００２６】
また、外壁パネル１は、取付部８の表面８ａ側を防水部材で覆ったことで、取付部８の表面８ａ側に防水構造を形成することができて、取付部８等の劣化を抑制し易くすることができて、耐久性を向上し易くすることができる。また、外壁パネル１は、取付部８の表面８ａ側を断熱部材や断熱性を有した防水部材で覆ったことで、凹部１０（取付部８の表面８ａ側の空間）の断熱性を向上し易くすることができる。
【００２７】
なお、本発明は、前述の実施形態の構成のみに限定されるものではなく、本発明の意図する範囲内であれば、適宜の設計変更を行うことが可能である。例えば、表面材３は凸部５や延出部７や取付部８を、板部材３ａを屈曲して形成したものに限らない。また例えば、取付部８は、一辺を延出部７の板面に当接して設けたＬ字形の部材等の、表面材３と別体の部材で形成したものであってもよい。
【符号の説明】
【００２８】
１  外壁パネル
２  断熱材
２ａ  断熱材の表面
２ｃ  断熱材の端部
３  表面材
４  本体部
５  凸部
６  通気層
７  延出部
８  取付部
１２  蓋
【図１】
2013221261.tif 000003
【図２】
2013221261.tif 000004
【図３】
2013221261.tif 000005
【図４】
2013221261.tif 000006
【図５】
2013221261.tif 000007